(57)【要約】      （修正有）【課題】水切りの機能に加えて、その上において食材を調理し易くする、或いはその上に置いた調理用の関連器具を使用し易くすることのできる、シンクに固定して使用可能なトレイを提供すること。【解決手段】シンクに固定され、複数の孔部４を備えたトレイ１において、孔部４に固定されるトレイ補助具１０を備え、トレイ補助具１０はバー材１９を取り付けて、トレイ１に食材や調理器具等を固定する機能を有し、トレイ補助具１０は、棒状部１１と棒状部１１の両喘部に設けられた孔差込部１２とを備え、棒状部１１は、孔固定部１３を備えており、バー材１９は、その底部２１における開口２５の側縁部２６に、棒状部１１と嵌合可能な凹部を備えている。【選択図】図５
2019058234.tif 000002
【特許請求の範囲】
【請求項１】
シンクに固定され、複数の孔部を備えたトレイにおいて、孔部に固定されるトレイ補助具を備え、トレイ補助具はトレイに食材や調理器具等を固定する機能を有することを特徴とするトレイ。
【請求項２】
請求項１に記載のトレイにおいて、トレイ補助具は棒状部と、孔固定部と、棒状部の両端部に設けられた孔差込部を備えたことを特徴とするトレイ。
【請求項３】
請求項２に記載のトレイにおいて、複数のトレイ補助具で取り付けられるバー材を備え、バー材はトレイ補助具の棒状部と嵌合可能な凹部を備えていることを特徴とするトレイ。
【請求項４】
請求項３に記載のトレイにおいて、バー材の長手方向略半分には複数の凹部を備えており、他方の半分には孔固定部が固定される切欠部を備えていることを特徴とするトレイ。
【請求項５】
請求項１に記載のトレイにおいて、トレイ補助具の一端部に孔差込部を備え、孔差込部とは逆端部に設けられた棒状部の先端は針状に形成されており、孔差込部と先端が針状に形成された棒状部の間に孔固定部を備えることを特徴とするトレイ。
【発明の詳細な説明】
【技術分野】
【０００１】
本発明は、トレイに関し、特にシンクに固定されて使用される複数の孔部を備えたトレイに関するものである。
【背景技術】
【０００２】
従来、キッチンのワークトップの水槽に排水孔を備えた水切りトレーを配設して使用する構成が知られている（特許文献１の図３等参照）。
【０００３】
また、シンク周りでも使用する調理器であるまな板に、補助具を取り付けて、食材を把持し、片手で包丁等を使って皮を剥いたり、切ったり、刻んだりして、容易にかつ能率良く調理することを可能とする構成が知られている（特許文献２〜４参照）。
【０００４】
まな板などの上で、ピン付きつまみのつまみ部分を持って、ピンを根菜類などに差し込んで固定し、この根菜類などをピーラーでの皮むきし易くするピン付きつまみが知られている（特許文献５参照）。
【先行技術文献】
【特許文献】
【０００５】
【特許文献１】特開平６−３２７５２２号公報
【特許文献２】特許第３８４４７６６号公報
【特許文献３】特許第３７８４７８４号公報
【特許文献４】特許第３７１７０５５号公報
【特許文献５】実用新案登録第３１８７２８３号公報
【発明の概要】
【発明が解決しようとする課題】
【０００６】
シンクに面して設けるトレイは、直接またはまな板を置いて、食材を置いたり、それを調理したり、或いは、調理用の関連器具を置いて使用することが通常行われている。
【０００７】
従来の水切りトレイは、例えば、特許文献１に示すように、穴を多数設け、排水し易い構造とする等、表面に水が溜まりにくくする工夫はしている。また、特許文献２〜５に示すように、まな板に取り付けてまたはまな板の上で、調理用の器具を使用することで、食材を容易にかつ能率良くの調理できるようにする構成が知られている。
【０００８】
しかしながら、水切りトレイをその本来の機能である水切りだけでなく、その上に置いた食材等を調理し易くする、或いは水切りトレイの上に置いた調理用の関連器具を使用し易くする等の考慮は、従来されていない。
【０００９】
本発明は、上記従来の問題点を解決することを目的とし、水切りの機能に加えて、その上において食材を調理し易くする、或いはその上に置いた調理用の関連器具を使用し易くすることのできる、シンクに固定して使用可能なトレイを実現することを課題とする。
【課題を解決するための手段】
【００１０】
本発明は上記課題を解決するために、シンクに固定され、複数の孔部を備えたトレイにおいて、孔部に固定されるトレイ補助具を備え、トレイ補助具はトレイに食材や調理器具等を固定する機能を有することを特徴とするトレイを提供する。
【００１１】
トレイ補助具は棒状部と、孔固定部と、棒状部の両端部に設けられた孔差込部を備えた構成とすることが好ましい。
【００１２】
複数のトレイ補助具で取り付けられるバー材を備え、バー材はトレイ補助具の棒状部と嵌合可能な凹部を備えていることが好ましい。
【００１３】
バー材の長手方向略半分には複数の凹部を備えており、他方の半分には孔固定部が固定される切欠部を備えていることが好ましい。
【００１４】
トレイ補助具の一端部に孔差込部を備え、孔差込部とは逆端部に設けられた棒状部の先端は針状に形成されており、孔差込部と先端が針状に形成された棒状部の間に孔固定部を備えることが好ましい。
【発明の効果】
【００１５】
本発明に係るトレイは、シンクに固定され、複数の孔部を備えたトレイにおいて、孔部に国定されるトレイ補助具を備え、トレイ補助具はトレイに食材や調理器具等を固定する機能を有するようにしたので、シンクに固定されるトレイ本体に簡単にトレイ補助具を設置することができ、片手調理が可能となる。
【図面の簡単な説明】
【００１６】
【図１】（ａ）は本発明に係るトレイの実施例１、２におけるトレイ本体を示す図であり、（ｂ）はトレイ本体をシンクに取り付けた状態を示す図である。
【図２】本発明に係るトレイの実施例１を説明する図であり、（ａ）は実施例１におけるトレイ補助具の斜視図であり、（ｂ）はトレイ補助具の側面図であり、（ｃ）は（ｂ）の要部拡大図であり、（ｄ）はトレイ本体にトレイ補助具を取り付けた状態を示す斜視図である。
【図３】（ａ）、（ｂ）は、それぞれバー材を斜め上方、斜め下方から見た斜視図であり、（ｃ）はバー材を下方から見た下面図である。
【図４】（ａ）は実施例１において、２本のトレイ補助具にバー材を取り付けた状態を、下方から見た下面図であり、（ｂ）、（ｃ）は実施例１のようなバー材とは異なる比較例を説明する下面図である。
【図５】実施例１において、トレイ本体に取り付けた２本のトレイ補助具にバー材を取り付けた状態を示す図であり、（ａ）は側面図であり、（ｂ）は斜視図である。
【図６】実施例１のトレイの具体的な使用例を示す斜視図であり、（ａ）はトレイに砥石を定置した状態を示す斜視図であり、（ｂ）はシンクに固定したトレイに砥石を定置した状態を示す斜視図である。
【図７】本発明に係るトレイの実施例２を説明する図であり、（ａ）は実施例２におけるトレイ補助具を示す斜視図であり、（ｂ）はトレイ補助具をトレイ本体の孔部に取り付けた状態を示す斜視図である。
【図８】（ａ）は上記実施例２において、トレイ補助具に食材を突き刺した状態を示す図であり、（ｂ）は実施例２において、トレイ補助具の変形例を示す側面図である。
【発明を実施するための形態】
【００１７】
本発明に係るトレイを実施するための形態を実施例に基づき図面を参照して、以下説明する。
【実施例】
【００１８】
（実施例１）
本発明に係るトレイの実施例１を図１〜６を参照して、以下説明する。本発明に係るトレイは、トレイ本体（板状のトレイ自体）のみではなく、トレイ本体に加えてトレイ補助具を備えて成るトレイである。
【００１９】
要するに、トレイ本体とトレイ補助具は、ともに本発明に係るトレイの構成要素である。本発明におけるトレイ補助具は、トレイに食材や調理器具等を固定または定置する機能を有する部材である。
【００２０】
本発明に係るトレイ１では、トレイ本体２は、図１（ａ）に示すように、従来のトレイ自体と同じ構造であり、板３に水切り孔として使用される複数の孔部４を備えて成り、図１（ｂ）に示すように、シンク７に固定されて使用される。
【００２１】
トレイ補助具は、いろいろな構造、用途のトレイ補助具が考えられるが、実施例１におけるトレイ補助具１０は、図２（ａ）、（ｂ）に示すように、棒状部１１と、棒状部１１の両喘部にそれぞれ形成された孔差込部１２と、棒状部１１に設けられた孔固定部１３と、を備えて成る。
【００２２】
棒状部１１の両喘部に設けられた孔差込部１２は、それぞれ図２（ａ）、（ｂ）、（ｃ）に示すように、棒状部１１より大きい径で張り出した大径部１６と、大径部１６から棒状部１１の軸方向先端に向けて徐々に小径となる円錐面１７と、先端の小径部１８と、から成り、全体として截頭円錐体の形状をしている。大径部１６の径は、トレイ本体２の孔部４を通過する程度に孔部４の径より少し小さく形成する。
【００２３】
孔固定部１３は、図２（ａ）、（ｂ）に示すように、棒状部１１から径方向の周囲に張り出す円形のフランジ部から成り、フランジ部の径は、孔部４を通過しないように孔部４の径より大きな径に形成する。孔固定部１３は、図２（ａ）、（ｂ）に示すように、棒状部１１の両端からの長さが異なる位置に設けられている。
【００２４】
実施例１のトレイ補助具１０は、その孔差込部１２から、図２（ｂ）、（ｄ）に示すように、トレイ本体２の孔部４に上方から差し込み、孔固定部１３がトレイ本体２の板３の上面に当接することで、トレイ本体２に固定される。トレイ補助具１０を差し込んで固定する孔部４は、トレイ補助具１０の使用目的に応じて、必要な位置の孔部４を選択すればよい。
【００２５】
実施例１では、バー材１９を、図５（ａ）、（ｂ）に示すように、孔部４に固定された２本のトレイ補助具１０に取り付ける構成例について説明する。ここでは、バー材１９は、トレイ本体２の上に、例えば、砥石３２（図６（ａ）、（ｂ）参照）等を定置または支持するために使用される。
【００２６】
なお、バー材１９も、本発明におけるトレイ補助具の一例であり、「バー状のトレイ補助具」とも言ってもよいが、ここでは、バー材１９と言う。
【００２７】
バー材１９は、図３（ａ）、（ｂ）、（ｃ）、図５（ａ）に示すように、頂部２０、底部２１および両側部２２とから成り、長手方向に直交する断面が略準矩形状に形成されている。底部２１には、長手方向に延びる開口２５が形成されている。この開口２５を通して、相対的に下方からトレイ補助具１０の孔差込部１２が嵌合可能である。
【００２８】
バー材１９の長手方向に延びる開口２５の構成は、きわめて特徴的であり、図３（ｃ）を参照して詳細に説明する。開口２５の両側の側縁部２６において、それぞれ長手方向の一方側（図３（ｃ）では左側）の略半分は、開口２５の側縁２７からへこむように複数の凹部３０を備えており、他方側（図３（ｃ）では右側）の略半分は、直線状の切欠部３１を備えている。
【００２９】
凹部３０は、側縁２７から深さｄで湾曲状に形成されている。この凹部３０の深さｄは、トレイ補助具１０の棒状部１１が嵌合可能（係入可能）となる程度に形成されている。直線状の切欠部３１は、側縁２７から凹部３０と同じ深さｄで、バー材１９の長手方向に直線状に延びるように形成されている。
【００３０】
本発明に係るトレイにおいて、バー材１９の開口２５を上記のような構成にする技術的意義について、以下説明する。若し、バー材１９の開口２５を上記のように直線状の切欠部３１を設けることなく、図４（ｂ）、（ｃ）の比較例のバー材３４に示すように、凹部３０のみを設ける構成とすると、次のような問題が生じる。
【００３１】
バー材３４の開口２５の側縁部２６に、２本のトレイ補助具１０の取付位置に合うように凹部３０が設けられていれば、図４（ｂ）に示すように、２本のトレイ補助具１０の棒状部１１は、それぞれ凹部３０に嵌合する。
【００３２】
ところで、トレイ補助具１０の取付位置は、トレイ本体２の孔部４の形成位置で決まる。そのため、図４（ｂ）に示すようにするためには、開口２５の凹部３０は、トレイ本体２の孔部４の形成位置に合わせて形成しなくてはならない。要するに、複数の凹部３０間のピッチと、複数の孔部４間のピッチ（間隔）を同じにする必要がある。
【００３３】
しかしながら、トレイ本体２の孔部４は、バー材３４の複数の凹部３０間のピッチ等考慮することなく製造されるので、市販されているトレー商品によっては、孔部４のピッチは多様であり、バー材３４の複数の凹部３０間のピッチと、複数の孔部４間のピッチは同じとは限らない。
【００３４】
そこで、バー材３４は、その開口２５の凹部３０がトレイ本体２の孔部４の形成位置に合ったいろいろ態様のものを用意すれば良いが、そのようないろいろなバー材３４を用意することは、事実上が困難であり、一般の需要向けとしては適していない。
【００３５】
仮に、開口２５の凹部３０と２本のトレイ補助具１０の棒状部１１の位置が合わないと、図４（ｃ）に示すように、１本のトレイ補助具１０の棒状部１１は、開口２５の所定の凹部３０に嵌合したとしても、他の１本のトレイ補助具１０の棒状部１１は、開口２５の他の凹部３０に嵌合できず、バー材３４の開口２５の側縁２７に当接してしまう。
【００３６】
その結果、バー材３４は、図４（ｃ）に示すように、２本のトレイ補助具１０の棒状部１１を結ぶ直線に対して水平面内で角度θだけ傾いて取り付けられることとなり、バー材３４は、トレイ本体２の矩形の枠内で平行に取り付けられず、定置しようとする後記する砥石３２（図６（ａ）、（ｂ）参照）も水平面内で傾いてしまい、使用しにくくなる。
【００３７】
本発明に係るトレイ１では、バー材１９を、トレイ本体２に取り付けた２本のトレイ補助具１０に取り付ける場合に、バー材１９の開口２５に２本のトレイ補助具１０を挿入して取り付ける。
【００３８】
この取り付けに際して、図４（ａ）に示すように、一方のトレイ補助具１０の棒状部１１がバー材１９の深さｄの凹部３０に嵌合し、他方のトレイ補助具１０の棒状部１１が同じ深さｄの直線状の切欠部３１に当接した状態にして取り付けることができる。
【００３９】
その結果、どのようなピッチで形成された孔部４を有するトレイ本体２であっても、バー材１９は、２本のトレイ補助具１０を結ぶ直線と平行に取り付けられるので、異なるピッチの孔部４を有する各態様のトレイ本体２に対しても汎用性が高い。しかも、トレイ補助具１０の棒状部１１は、バー材１９の凹部３０に嵌合しているために、バー材１９の長手方向への移動やズレを防止して定置することができる。
【００４０】
（作用）
以上の構成から成るトレイの作用および使用例について説明する。使用に際しては、まず、２本のトレイ補助具１０を適宜間隔をおいて、図２（ｂ）、（ｄ）、図５（ｂ）に示すように、トレイ本体２の孔部４に取り付ける。
【００４１】
本実施例１では、棒状部１１における孔固定部１３から短い側を上方に向け、長い側を下方に向けて、長い側の孔差込部１２からトレイ本体２の孔部４に挿入し、孔固定部１３をトレイ本体２の板３の上面に載置することで、取り付ける。
【００４２】
なお、棒状部１１における孔固定部１３から長い側を上方に向け、短い長い側を下方に向けて、短い側の孔差込部１２からトレイ本体２の孔部４に挿入し、孔固定部１３をトレイ本体２の板３の上面に載置することで、取り付けてもよい。
【００４３】
棒状部１１における孔固定部１３から短い側を上方に向けるか、長い側を上方に向けるかの選択は、バー材１９をトレイ本体２から低い位置に取り付けるか、または高い位置に取り付けるか等の事情を考慮して決めればよい。
【００４４】
次に、図５（ａ）、（ｂ）に示すように、バー材１９を２本のトレイ補助具１０に取り付ける。そのために、バー材１９を２本のトレイ補助具１０に上方から近づけ、２本のトレイ補助具１０の孔差込部１２を、バー材１９の開口２５を通してバー材１９内に差し込むようにして嵌合し、バー材１９が、２本のトレイ補助具１０の孔差込部１２の上に、図５（ａ）に示すように、上方から載置した状態とする。
【００４５】
このようにバー材１９をトレイ補助具１０に取り付ける際に、図５（ａ）に示すように、トレイ補助具１０の孔差込部１２を、バー材１９の開口２５の短手方向の一側（図５（ａ）では左側）に寄せて嵌合する。
【００４６】
このようにすると、仮に、バー材１９が図５（ａ）に示す矢印方向に傾いても、開口２５の側縁部２６が孔差込部１２の大径部１６に下方から係合する。このため、傾きは使用に支障のない範囲内にとどまり、バー材１９が、トレイ補助具１０から脱落するようなことは防止される。
【００４７】
なお、図５（ａ）では、側縁部２６と大径部１６の上下方向の間隔を若干大きめに記載してあるが、孔固定部１３より上側の棒状部１１の長さを短めに設計すれば、側縁部２６と大径部１６はより近接し、傾いてもその傾きはより僅かにとどまる。
【００４８】
以上のようにバー材１９をトレイ補助具１０に取り付けたトレイ１に、図６（ａ）、（ｂ）に示すように、砥石３２を載せてその長手方向の一端をバー材１９に当接することで、砥石３２をトレイ１に定置することができる。これによって、包丁３３を砥石３２で研ぐ際に、砥石３２を手で把持する必要がないので、健常者だけでなく非健常者も研ぎ作業がし易くなる。
【００４９】
トレイ１によると、２本のトレイ補助具１０のうちの一方のトレイ補助具１０の棒状部１１がバー材１９の開口２５の凹部３０と嵌合し、他方のトレイ補助具１０の棒状部１１が切欠部３１に当接することで、前記したとおり、バー材１９は、その長手方向への移動やずれが防止される。
【００５０】
また、バー材１９は、前記したとおり、２本のトレイ補助具１０を結ぶ直線と平行に取り付けられるので、トレイ本体２の多数の孔部４の列がトレイ本体２の枠内で平行に形成されていれば、バー材１９および砥石３２は、トレイ本体２の枠に対して平行に定置することができるので、作業がし易くなる。
【００５１】
（実施例２）
本発明に係るトレイの実施例２について、以下、図７、図８を参照して説明する。この実施例２のトレイは、実施例１のトレイと比較し、略同じ構成であるが、トレイ補助具において相違する。ここでは、異なる構成を中心に説明する。
【００５２】
実施例２におけるトレイ補助具４０は、図７（ａ）に示すように、棒状部４１を有し、棒状部４１の一端部（図７（ａ）では下端部）には孔差込部４２が設けられており、棒状部４１の逆端部（図７（ａ）では上端側の部分）は徐々に細くなり、先端は針状に形成されている。この針状に形成された部分を、以下「針状部４５」という。また、棒状部４１には、孔固定部４６が設けられている。
【００５３】
トレイ補助具４０において、孔差込部４２は実施例１の孔差込部１２と同じ構成である。孔固定部４６は、実施例１における孔固定部１３と同様に、棒状部４１から外周方向に張り出しフランジ状に形成されている。
【００５４】
実施例２では、孔固定部４６は、孔差込部４２と先端が針状に形成された棒状部４１との間に形成されており、より詳しくは、棒状部４１における直径が同じ部分と直径が徐々小さくなる部分の境界部に形成されている。
【００５５】
トレイ補助具４０を使用する際には、実施例１におけるトレイ補助具１０と同様な方法で、図７（ｂ）に示すように、トレイ補助具４０を、その孔差込部４２からトレイ本体２の孔部４に差し込み、孔固定部４６を板３上に載置して取り付ける。
【００５６】
そして、図８（ａ）に示すように、食材４７を針状部４５に突き刺して固定する。このように食材４７を固定すると、健常者だけでなく、非健常者も食材４７を包丁で切る等の作業がし易くなる。
【００５７】
実施例２におけるトレイ補助具の変形例を図８（ｂ）に示す。この変形例のトレイ補助具４９は、孔固定部４６の上面に剣山のように、小さな針５０を複数突出するように設けた構成である。このようなトレイ補助具４９によれば、食材４７の種類によっては、より手軽に、確実に固定することが可能となる。
【００５８】
以上、本発明に係るトレイを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５９】
本発明に係るトレイは上記のような構成であるから、キッチンのシンクだけでなく、洗面用のシンク等に取り付けて、洗面所で使用する各種の用具を定置して使用するトレイとしても適用可能である。
【符号の説明】
【００６０】
１  トレイ
２  トレイ本体
３  板
４  孔部
７  シンク
１０  トレイ補助具
１１  トレイ補助具の棒状部
１２  トレイ補助具の孔差込部
１３  トレイ補助具の孔固定部                 
１６  孔差込部の大径部                   
１７  孔差込部の円錐面                   
１８  孔差込部の小径部                   
１９  バー材 
２０  バー材の頂部
２１  バー材の底部
２２  バー材の両側部                
２５  バー材の開口                     
２６  開口の側縁部             
２７  開口の側縁               
３０  側縁部の凹部                     
３１  側縁部の直線状の切欠部           
３２  砥石                     
３３  包丁 
３４  バー材（比較例）                    
４０  トレイ補助具         
４１  トレイ補助具の棒状部                   
４２  トレイ補助具の孔差込部                 
４５  トレイ補助具の針状部                   
４６  トレイ補助具の孔固定部                 
４７  食材                     
４９  トレイ補助具                      
５０  針
【図１】
2019058234.tif 000003
【図２】
2019058234.tif 000004
【図３】
2019058234.tif 000005
【図４】
2019058234.tif 000006
【図５】
2019058234.tif 000007
【図６】
2019058234.tif 000008
【図７】
2019058234.tif 000009
【図８】
2019058234.tif 000010